Podtech/llm-jp-corpus-v4-ja_patent huggingface dataset:
(57)【要約】      （修正有）【課題】上衣の脱衣時に、上衣がバッグとして機能を有するようにしたジャケットを提供する。【解決手段】背裏をファスナーで開口できるようにして、背表と背裏の空間を裏返すようにして、バッグの形状を作ることによって課題を解決している。気温の寒暖差のある時、雨上がりの時、または運動時に、上着を脱いでも、邪魔な手荷物にならず、ショルダーバッグやメッセンジャーバッグのように、肩や背中に背負うことで自由に手が使え、デザイン機能面でも、裏地のあるすべてのアウターに利用可能なので、通勤時・スポーツ・レジャーなど広い範囲で、より快適なスタイルが可能になる。【選択図】図３
0003160080.tif 000002
【実用新案登録請求の範囲】
【請求項１】
上衣の背表と背裏の空間を、背裏に付けられたファスナーを開けて、内側を裏返すことでバッグにすることを可能にした上衣。
【考案の詳細な説明】
【技術分野】
【０００１】
本考案は、バッグとして利用したり、上衣として着用したりできる上衣に関するものである。
【背景技術】
【０００２】
従来の上衣は、脱いだ時に、たたんで別のバッグに入れたりしなければならない。
【考案の概要】
【考案が解決しようとする課題】
【０００３】
上着を脱いだ時に、バッグがなくても収納でき、かつバッグとしての機能も作り出すことを目的とする。
【課題を解決するための手段】
【０００４】
本考案は、上衣の背部分の広い個所を利用し、上衣の背表と背裏の空間内をバ
ッグの表部分として考え、背裏にファスナーを取り付けて、その開口部から上衣
を引き出して裏返すことで、上衣がバッグに変転し、さらにバッグとしての機能
を持たすことで、課題を解決している。
【考案の効果】
【０００５】
気温の寒暖差のある時、雨上がりの時、または運動時に、上着を脱いでも、邪魔な手荷物にならず、ショルダーバッグやメッセンジャーバッグのように、肩や背中に背負うことで自由に手が使え、デザイン機能面でも、裏地のあるすべてのアウターに利用可能なので、通勤時・スポーツ・レジャーなど広い範囲で、より快適なスタイルが可能になる。
【図面の簡単な説明】
【０００６】
【図１】バッグ  ジャケット仕様の背裏外観
【図２】バッグ  ジャケット仕様の背表外観
【図３】バッグ  ジャケット仕様の背裏ファスナーを開口した状態
【図４】バッグにしてファスナーを開口した状態
【図５】バッグにした状態
【図６】肩紐を腰ベルトにしたデザイン上衣
【考案を実施するための形態】
【０００７】
上衣の背裏部分を両面ファスナーで分割し、背裏と背表の間のネック部分から腰に掛けてバッグの肩紐部分を取り付けて、上衣で着る時はそのファスナーを閉じることで収納され、ファスナーを開けて、そのファスナー口から引き出し裏返して肩紐部分を引っ張り出して、そのファスナーを開閉することで、ショルダーバッグにすることができる。
【実施例】
【０００８】
以下、添付図面に従って実施例を説明する。図１は、背裏中心にファスナーを付けた上衣で、背裏の縫い線がバッグ形状となり、背全体の大きさの範囲でバッグのデザインが可能である。
【０００９】
バッグ形状をつくる縫い線が背裏には見えても問題はないが、図２のように背表には、背裏と同じ縫い線を見せないで、さらにバッグとしての強度機能上、背表と背裏に間にもう一枚バッグの底部分に適した素材を挟み込んで縫うこともできる。
【００１０】
図３のように、背裏のファスナーを開けると、バッグの肩紐が見え、その開口部から内側を引っ張り出すように、ひっくり返す。
【００１１】
図４のように、バッグの内側に、上衣のすべてを押し込んでさらにファスナーを止めると図５のような、ショルダーバッグになる。
【００１２】
ショルダーバッグとしての外部ポケットデザインは、上衣の背表と背裏の中なので、自由にデザインできる。
【００１３】
図６のように、デザインによっては、肩紐を取り外し可能なバックルにして、それを上衣の腰ベルトに使うこともできる。
【産業上の利用可能性】
【００１４】
本考案は、すべての裏地のあるアウターに利用可能で、バッグとしての機能拡大も含めて、スポーツやカジュアルライフ全般に、より快適な利便性を提供できる可能性を有している。
【図１】
0003160080.tif 000003
【図２】
0003160080.tif 000004
【図３】
0003160080.tif 000005
【図４】
0003160080.tif 000006
【図５】
0003160080.tif 000007
【図６】
0003160080.tif 000008
(57)【要約】      （修正有）【課題】蒸発部を多孔質のセラミックで構成し、何回でも繰り返して使用することができ、また貯水部に添加剤を加えることで水の腐敗が発生しない加湿器を提供する。【解決手段】粘土材料を山状に整形し、焼成した多孔質のセラミックで構成することで、毛細管現象によって貯水部２の水を吸い上げ、蒸発部１の表面で蒸発させることで、電力などのエネルギーを用いずに部屋の湿度を上昇でき、貯水部の水を補充するだけで何度も繰り返し使用することが出来る。また、蒸発部はセラミックで構成されているため、半永久的に使用することが可能であるとともに、蒸発部１を山状に形を構成し、側面に溝４を設け、さらに底面に穴５を設けることにより蒸発部全体で効率よく水を蒸発させることが可能であり、また、貯水部にカルシウム剤を添加することにより水の腐敗を防止することが可能である。【選択図】図１
0003160079.tif 000002
【実用新案登録請求の範囲】
【請求項１】
粘土材料を山状として成形及び焼成した蒸発体の下端部が貯水部内の水に浸漬されてなることを特徴とする加湿器。
【請求項２】
上記蒸発体の側面に溝を、該蒸発体の底面に穴を設けたことを特徴とする請求項１に記載の加湿器。
【請求項３】
上記貯水部内の水にカルシウム剤を添加してなることを特徴とする請求項１に記載の加湿器。
【考案の詳細な説明】
【技術分野】
【０００１】
屋内で用いる加湿器に関する。
【背景技術】
【０００２】
従来の加湿器は電力などのエネルギーを用いたものが多く、エネルギーを用いない自然気化式のものには以下のような欠点があった。
【０００３】
蒸発部が不織布などの材料で出来ており、耐久性に難があった。
【０００４】
貯水部の水が腐り、カビや雑菌の温床となる場合があった。
【先行技術文献】
【特許文献】
【０００５】
【特許文献１】実開昭63-108024号公報
【特許文献２】特開2004-049160号公報
【考案の概要】
【考案が解決しようとする課題】
【０００６】
本考案は、以上述べた従来技術の欠点を解消するためになされたもので、蒸発部を多孔質のセラミックで構成し、何回でも繰り返して使用することができ、また貯水部に添加剤を加えることで水の腐敗が発生しない加湿器の提供を目的とするものである。
【課題を解決するための手段】
【０００７】
粘土材料を成形し焼成した蒸発部の下端部が貯水部内の水に浸漬されてなることを特徴とし、蒸発部を山状とし、また蒸発部の側面に溝を設け、また蒸発部の底面に穴を設け、さらに貯水部内の水にカルシウム剤を添加した加湿器である。
【考案の効果】
【０００８】
本考案は上記のように構成されているために次のような効果を発揮する。蒸発部が多数の穴をもつセラミックで構成されているために、毛細管現象によって貯水部の水を吸い上げ、蒸発部表面で蒸発させることで、電力などのエネルギーを用いずに部屋の湿度を上昇できる。貯水部の水を補充するだけで何度も繰り返し使用することが出来る。蒸発部はセラミックで構成されているため、加湿の繰り返しによって劣化することがないため半永久的に使用することが可能である。蒸発部を山状に形を構成することで蒸発に充分な表面積を確保することが可能である。蒸発部内に側面に設けた溝、及び底面に設けた穴により水が効率よく蒸発部全体に行き渡らせることが可能である。また、貯水部にカルシウム剤を添加することにより水の腐敗を防止することが可能である。さらにカルシウム剤を添加した水は周囲のカビや臭いの発生を抑えることが可能である。
【図面の簡単な説明】
【０００９】
【図１】実施を示す図
【図２】蒸発部側面図
【図３】蒸発部底面図
【考案を実施するための形態】
【００１０】
以下、本考案に係る実施例を図１、図２、図３に基づいて説明する。なお、本考案は下記の実施例により何ら限定されるものではない。
【実施例１】
【００１１】
蒸発部１として陶磁器用粘土などを使用し、これを成形型により多数の直方体を組み合わせた山状に成形し、これを焼成した物を用いた。
【００１２】
蒸発部１には側面には2mmの溝４を設け、さらに底面に径5mmφ深さ50mmの穴５を適当な数設けた。
【００１３】
貯水部２は外観の美しさ・多様性を表現するために磁器で構成した。
【００１４】
以上のように構成した加湿器を使用する場合には、この加湿器の貯水部２に水３を入れ、蒸発部１が貯水部２の水３を溝4及び穴５により効率よく毛細管現象によって水を吸い上げ、蒸発部１表面で蒸発させることによって加湿する。本実施例においては高さ24mm横12mmの直方体を組み合わせた高さ14cm、横12cmの蒸発部１を2個、500mlを注ぎいれた貯水部２に垂直に立て、室温25℃湿度35％の空間に置いたところ、1時間で周囲の湿度を約4%上昇させることを確認した。また5時間後に室内の湿度は50％に達したことを確認した。
【００１５】
その他、本考案は、蒸発部1及び貯水部２、溝４、穴５の材質、構造及び形状を、使用目的に応じて適宜変更等、考案要件を逸脱しない範囲内で、種々変更して実施できることは言うまでもない。
【産業上の利用可能性】
【００１６】
本考案による加湿器は屋内、屋外、倉庫、車両、農業分野、畜産分野など様々な対象に加湿を行うことができる。倉庫や農業、畜産分野など用いる場合には、蒸発部を大型化し水道などで貯水部に水を供給するなどの手段で大規模に加湿を行うことが可能である。また車両などの分野においては蒸発部と貯水部を一体とし、コンパクトにするなどで持ち運びが出来る小型の加湿器として使用することが可能である。
【符号の説明】
【００１７】
１……蒸発部
２……貯水部
３……水
４……溝
５……穴
【図１】
0003160079.tif 000003
【図２】
0003160079.tif 000004
【図３】
0003160079.tif 000005
(57)【要約】      （修正有）【課題】船舶が錨泊する時、風波、潮海流に対し、流されないように、また、回収時にチェーン、ロープ等の切断やいかりの変形がないようにすべく、把ちゅう力を錨の重さに対し、最大値をとるための形状を工夫し、さらにその収納性、回収性の向上を図ったいかりを提供する。【解決手段】縦棒３とブレード１のなす角が３５〜４５度とすることで、把ちゅう力を向上させ、かつ収納・回収が容易となる組立式いかりを形成する。【選択図】図１
0003160005.tif 000002
【実用新案登録請求の範囲】
【請求項１】
縦棒３とブレード１のなす角が３５〜４５度である把ちゅう力を向上した収納・回収が容易な組立式いかり。
【考案の詳細な説明】
【技術分野】
【０００１】  この考案は、船舶が錨泊する時、風波、潮海流に対し、流されないように、把ちゅう力を錨の重さに対し、最大値をとるための、形状を計算し、又その収納、回収性を考案したいかり。
【背景技術】
【０００２】  従来いかりの把ちゅう係数（単位重量に対する把ちゅう力）は凡そ３．５であった。
収納は取付、又は平面であった。
回収性は無視されていた。（チェーン及びロープを引くのみ。）
【考案の概要】
【考案が解決しようとする課題】
【０００３】  そのため次のような問題点があった。
▲１▼把ちゅう係数が小さい為大きな重量のいかりを使用しなくてはいけない。
▲２▼収納が平面の為、収納場所の容積が大きかった。
▲３▼回収が無視されていた為、回収はチェーン、ロープ等の切断又は錨の変形であった。
本考案は以上の問題を解決する為になされたものである。
【課題を解決するための手段】
【０００４】▲１▼把ちゅう係数の最大値を物理的計算と実験でした。
▲２▼収納を小さくするため立体状を平面状に更に直線状にした。
▲３▼回収の時、根元から引き上げるようにした。
【考案の効果】
【０００５】  把ちゅう係数の向上及び収納が小さく回収もできるようになった。
【図面の簡単な説明】
【０００６】
【図１】  本考案の平面図、立面図、斜視図
【図２】  本考案の使用状態を示す説明図
【図３】  本考案の収納状態を示す説明図
【図４】  従来の形態図
【図５】  回収図
【考案を実施するための最良の形態】
【０００７】  図面の図２本考察の使用状態を示す説明図です。
１．  把ちゅう係数の最大値
図１の形状で１・２・３を物理的計算と実験により行った。
２．  収納について
図３の収納状態です。
３．  回収について
図５の方法でする。
【符号の説明】
【０００８】１  ブレード
２  横棒
３  縦棒
４  ロープ
５  シャックル
６  細紐
【図１】
0003160005.tif 000003
【図２】
0003160005.tif 000004
【図３】
0003160005.tif 000005
【図４】
0003160005.tif 000006
【図５】
0003160005.tif 000007
(57)【要約】      （修正有）【課題】防犯フエンス等の設置により前席と後部席が遮断されたタクシーにおいて、安全に料金を回収するタクシー料金箱を提供する。【解決手段】該料金箱は、上蓋１と下蓋３及び該上蓋１と下蓋３の間に設けた引き出し６により構成する。下蓋３は、その両端に面ファスナーを装着した２本の固定用ゴムベルトで、車体の運転手席側左と助手席側右の間にある肘掛に固定し、引き出し６が前後にスライドさせて、運転手の安全を確保した状態で料金の受渡しができるようにする。【選択図】図６
0003160010.tif 000002
【実用新案登録請求の範囲】
【請求項１】
上蓋1と下蓋３と引き出し６との３枚からなる料金箱で、上蓋１と下蓋３の間に引き出し６を入れスライドして料金の受払いを可能とした、タクシー料金箱。
【請求項２】
固定用ゴムベルト７の少なくとも２本で車体の運転手席側左と助手席側右の間の肘掛に固定され引き出し６が前後にスライドし料金を受け払いが出来る、請求項１からなる、タクシー料金箱。
【請求項３】
固定用ゴムベルト7は長さを調整する為の面ファスナーを装着したものである、請求項２からなるタクシー料金箱
【請求項４】
上蓋１は、引き出し６に手を挿入する為の開口部を有する、請求項１−３のいずれかのタクシー料金箱。
【請求項５】
上蓋１の上の後部座席側には調整用ボード１１が設けられる、請求項１―４のいずれかのタクシー料金箱。
【考案の詳細な説明】
【技術分野】
【０００１】
この考案は防犯に関するものであり、強盗、窃盗、等の犯罪者から被ることあるべきタクシー運転手の被害を未然に防ぐための、タクシー料金箱。
【背景技術】
【０００２】
従来、タクシーの料金は受け皿か直接手で受け払いをし、深夜の業務は大変危険があり危害を受ける事が多発していた。
【先行技術文献】
【特許文献】
【０００３】
【特許文献１】実用新案登録第３１５７５６０号公報
【考案の概要】
【考案が解決しようとする課題】
【０００４】
従来の料金受払いは、料金受け皿か手での受払いであり後部座席の客が直接運転手にふれる事が出来大変危険で被害も多発していた、これを安全に回収する為の考案の、タクシー料金箱。
【課題を解決するための手段】
【０００５】
上蓋１と下蓋３と引き出し６との３枚からなる料金箱で、上蓋１と下蓋３の間に引き出し６を入れスライドして料金の受払いを可能としたタクシー料金箱です、固定用ゴムベルト７の少なくとも２本で車体の運転手席側左と助手席側右の間の肘掛蓋に固定され引き出し６が前後にスライドし料金を受払いが出来るタクシー料金箱です。固定用ゴムベルト７は長さを調整する為の面ファスナーを装着したものであるタクシー料金箱です。上蓋１は引く出し６に手を挿入する為の開口部を有するタクシー料金箱、上蓋１の上の後部座席側には調整用ボード１１が設けられるタクシー料金箱。
【考案の効果】
【０００６】
料金箱による回収で御客との直接の接触がなく安全である、タクシー料金箱
【図面の簡単な説明】
【０００７】
【図１】上蓋
【図２】下蓋
【図３】引き出し
【図４】固定用ゴムベルト
【図５】組立図
【図６】仕上げ状態
【考案を実施するための形態】
【０００８】
従来の回収の危険を防止し安全を確保する、タクシー料金箱
【産業上の利用可能性】
【０００９】
この考案はタクシーに効果的である
【符号の説明】
【００１０】
１―上蓋
２―結合穴
３―下蓋
４―結合柱
５―固定用ゴム穴
6−引き出し
7―固定用ゴムベルト
8−面ファスナー
９−組立図
１０−開口部
１１−調整用ボード            
【図１】
0003160010.tif 000003
【図２】
0003160010.tif 000004
【図３】
0003160010.tif 000005
【図４】
0003160010.tif 000006
【図５】
0003160010.tif 000007
【図６】
0003160010.tif 000008
(57)【要約】      （修正有）【課題】洋式便器において、男性がズボンの前のみを開けて排尿する際の汚れの発生を抑制するとともに、安定した姿勢で排尿を可能とする男子排尿用椅子を提供する。【解決手段】洋式便器の前に置き、前側（便器側）が低くなるように、勾配を有した座面２と、排尿者が座った際に、排尿者の位置を安定させるため、前側座面端部付近に、座面に垂直、または、ある傾斜を持った突起状の受け部３を設けて男子排尿用椅子を構成する。その椅子１に座ることにより、低い位置から安定した姿勢で排尿を可能とし、便器周辺への汚れの発生を抑制する。【選択図】図１
0003160012.tif 000002
【実用新案登録請求の範囲】
【請求項１】
洋式便器の前に置き、前側（便器側）が低くなるように、勾配を有した座面と、排尿者が座った際に、排尿者の位置を安定させるため、前側座面端部付近に、座面に垂直、または、ある傾斜を持った突起状の受け部を設けたことを特徴とする男子排尿用椅子。
【考案の詳細な説明】
【技術分野】
【０００１】本考案は、洋式便器において男性が排尿する時に使用する椅子に関する。
【背景技術】
【０００２】従来の洋式便器は、女性と男性排便とに便利にできており、男性がズボンの前のみを開けてする通常の排尿に配慮したものではない。【０００３】従って、洋式便器で男子がズボンの前のみを開けて排尿する際、尿の飛沫が便器周辺等に飛び散り、汚すことが多く、掃除する人の手を煩わしていた。これを解決するものとして、便器の両側に膝をついて行うための補助具（例えば特許文献１、特許文献２）などが開示されている。
【特許文献１】  特開２００４−２６７６６９
【特許文献２】  特開２００５−２５３７４８
【考案の開示】
【考案が解決しようとする課題】
【０００４】男性が通常排尿するとき、ズボンの前を開けて行うが、便器の周辺を汚さないようにするためには、膝を大きく曲げ身を低くして行う必要がある。この姿勢の維持を補助する目的で前記の特許文献１，２の発明がなされたのであるが、膝を大きく曲げる事自体苦痛である。また排尿が終わって立ち上がるときにも足の筋力が必要なため、特に高齢者には不向きである。本考案は、男性が通常の排尿をする際、便器を汚さずに無理のない姿勢で排尿できる手段を提供するものである。
【課題を解決するための手段】
【０００５】男子がズボンの前のみを開けて洋式便器に排尿する際、便器を汚さないように、低い位置から無理のない姿勢で行う手段として、ある勾配をもった座面を有する椅子を提供する。本椅子を便器前に置き、これに座って排尿することにより課題を解決する。
【考案の効果】
【０００６】洋式便器において、男性がズボンの前を開けて排尿する際、便器の前に本考案の椅子を置き、その椅子に座って行うことにより、座面の傾斜した効果で下半身が傾斜するため（図４参照）引き出したペニスを無理なく下方に向けることができる。また、座った低い位置から安定した姿勢で排尿でき、便器周辺を汚す事無く衛生的であり、掃除する人の手を煩わせない。また、排尿前後の動作（座る、立ち上がる）にも無理が無いので高齢者にも適している。排尿終了後は、椅子を便器脇に移動して置く事により通常の便器の使用（女性の大小と男性の排便）に支障は生じない。
【図面の簡単な説明】
【０００７】
【図１】本考案の側面図で、使用時の便器との位置関係を示す。
【図２】本考案の正面図。
【図３】本考案の平面図で、座面２の一部を破断し便器との位置関係を示す。
【図４】本考案を使用して排尿しているところの側面図。
【図５】本考案を使用して排尿しているところの平面図。
【考案を実施するための最良の形態】
【０００８】以下、本考案の実施の形態を図１〜図５に基づいて説明する。
図１は、本考案の実施形態を示す椅子１の側面図であり、排尿時、便器１０の前に置いた状態を示す。２は座面で、片側（図１において便器側で椅子の前側）が低くなるように、ある勾配を有しており、その端面下端は便器上面より適度に高い構成となっている。３は受け部で、排尿者が椅子１に座った時、排尿者の内股に接し、排尿者が座面傾斜に沿ってズリ落ちるのを防ぎ、姿勢を安定させる（図４参照）。
従って、それなりの強度を有し、座面に直角に、又はある傾斜をもって、突起状態で座面２の前側端部付近に、左右に離れて構成している（図２参照）。
また、排尿者の内股に違和感を与えないように、受け部３の外面はクッション製のもの、または形状が滑らかな曲線状となっている。４は椅子１の前脚、５は緩衝材で、前脚４が便器１０と接する位置に取り付けてあり、前脚４で便器１０に損傷を与えない役目をしている。６は椅子１の後ろ脚、７は各脚下部に取り付けたカバー、８は椅子１の補強部材ａである。
図２は、正面図で、９は椅子１の補強部材ｂである。
図３は、平面図で、座面２を一部破断して、図２のＡ−Ａ矢視を示し、便器１０との位置関係が解るようにした図である。図のように、椅子１の左右の脚４の緩衝材５が便器１０に接する位置に置くことにより椅子の姿勢が安定する、とともに排尿に適した便器との位置関係が定まる。前脚４の間隔は、椅子の安定性と便器との距離を考慮して決めるのであるが、市場に出回っている便器のサイズの大小に関わらず、ほぼ一定にすることができる。
図４は、本実施例の椅子１を使用して排尿者１１が、排尿しているところの側面図である。排尿する際、椅子１を前脚４の緩衝材５が便器１０に接する位置に置き、傾斜した座面２に腰を下ろすと図のように下半身も便器側に傾斜し、引き出したペニスを無理なく下方に向けることができ、安定した姿勢で低い位置から排尿が可能なため、便器周辺を汚す事がなくなる。
図５は、本実施例の椅子を使用して排尿者１１（二点鎖線）が、排尿しているところの平面図であり、１１ａ、１１ｂはそれぞれ排尿者の左右の脚で、内股が緩衝材５に接し、椅子に脚を広げて座った状態であり、排尿時の姿勢である。
排尿終了後、通常は排尿者が、椅子１を便器脇の支障の無い場所に移動して置くため椅子は極力軽量とし、サイズも小さくする。
【符号の説明】
【０００９】１椅子
２座面
３受け部
４前脚
５緩衝材
６後脚
７カバー
８補強部材ａ
９補強部材ｂ
１０便器
１１排尿者
１１ａ排尿者の左足
１１ｂ排尿者の右足
【図１】
0003160012.tif 000003
【図２】
0003160012.tif 000004
【図３】
0003160012.tif 000005
【図４】
0003160012.tif 000006
【図５】
0003160012.tif 000007
(57)【要約】      （修正有）【課題】ベストのサイズをアジャスター等で調整しなくても体にフィットするベストを提供する。【解決手段】従来のベストは体にフィットさせるために背の部分にアジャスターを付けて調整していたが、立っているときに合わせると座ったときは窮屈になり調整が難しい。ベストの両脇をパワーネットで切り替えることにより無理なく体にフィットし美しいスタイルを作ることができる。脇をパワーネットで切り替えることにより立っても座っても無理なく体にフィットする。【選択図】図１
0003160013.tif 000002
【実用新案登録請求の範囲】
【請求項１】
ベストの両脇をパワーネットで切り替えた構造
【考案の詳細な説明】
【０００１】この考案は、ベストのサイズをアジャスター等で調整しなくても体にフィット
【背景技術】ベストの両脇をパワーネットで切り替えることにより無理なく体にフィットし美しいスタイルを作ることができる【０００３】従来のベストは体にフィットさせるために背の部分にアジャスターを付けて調整していましたが立っているときに合わせると座ったときは窮屈になり調整が難しい
【考案の結果】
【０００４】脇をパワーネットで切り替えることにより立っても座っても無理なく体にフィット
【図面の簡単な説明】
【０００５】
【図１】パワーネット脇切り替えベスト
【図２】従来のベスト
【符号の説明】
【０００６】１０  背裏地
１１  パワーネット
１２  アジャスター
【図１】
0003160013.tif 000003
【図２】
0003160013.tif 000004
(57)【要約】      （修正有）【課題】装着性のいいマスクを提供する。【解決手段】マスクの耳掛けバンドを上下が交差するように結束する。【選択図】図１
0003160019.tif 000002
【実用新案登録請求の範囲】
【請求項１】
耳掛けバンドが上下で交差するように結束したマスク。
【考案の詳細な説明】
【技術分野】
【０００１】
本考案は、マスクの装着性に関するものである。
【背景技術】
【０００２】
従来のマスクにおいても顔面へのフィット感を増す為に特開２００８−２９５５０３号のように顔面の凹凸に合わせてマスクの被覆体を立体的にカットするなどの工夫が為されてきた。
【先行技術文献】
【特許文献】
【０００３】
【特許文献１】特開２００８−２３７８５０号  公報
【特許文献２】登録実用新案第３１２７１６０号  公報
【特許文献３】特開２００８−２９５５０３号  公報
【考案の概要】
【考案が解決しようとする課題】
【０００４】
しかしながら、それらは主にマスクの被覆体に関する物であり、耳掛けバンドの部分は特に注目されてこなかった。本考案は、そこに着目し、よりフィット感のあるマスクを提供することを目的とする。
【課題を解決するための手段】
【０００５】
本考案は、マスクの耳掛けバンドの上下を交差させた事を特徴とする。
【考案の効果】
【０００６】
マスクの耳掛けバンドの上下を交差させることに寄り、耳掛けバンドの張力が増し、マスク被覆体の顔面へのフィット感の向上につながる。
【図面の簡単な説明】
【０００７】
【図１】本考案の一実施例に係るマスクの構成を示す正面図である。
【図２】本考案の一実施例に係るマスクの耳掛けバンド結束部の断面図である。
【考案を実施するための形態】
【０００８】
マスクの耳掛けバンドの上下を互いが交差しつつ、それぞれのバンドが自由に動くように結束具を用いて結束する。
【実施例】
【０００９】
本考案の一実施例を図面に沿って説明する。マスクは図１に示されるように被覆体１と耳掛けバンド２より成っている。
【００１０】
耳掛けバンド２は被覆体１の左右の上端、下端にそれぞれ接着等の方法で固定されている。
【００１１】
耳掛けバンド２はゴム等の伸縮性のある素材で構成されており、この部分を耳に掛けることによってマスクを顔面に装着する。
【００１２】
本実施例では、図２に示されるように耳掛けバンド２の被覆体１の上端に固定されている側３と、耳掛けバンドの被覆体１の下端に固定されている側４が互いに交差するように紐５によって８の字状に結束されている。
【００１３】
なお、本実施例においては、結束具として、紐５を用いているが、この素材は何であってもかまわない。
【符号の説明】
【００１４】
１  被覆体
２  耳掛けバンド
３  耳掛けバンドの被覆体の上端に固定された側
４  耳掛けバンドの被覆体の下端に固定された側
５  紐
【図１】
0003160019.tif 000003
【図２】
0003160019.tif 000004
(57)【要約】      （修正有）【課題】洋式トイレで男性が座位で排尿するときにおきる、便器と便座の隙間からの外部への尿飛散防止と便器前方部の汚染防止を目的とし、かつ着脱が容易な吸盤固定式尿遮断具を提供する。【解決手段】男性の座位での排尿を受けて便器内へと流れ落ちることを導くための便器前方部の内壁のカーブに沿ってあてがう耐水性、柔軟性のある長方形の板状の遮断面１に便器前方部の上面にあてがうＬ字型もしくは遮断面と一体成型のＴ字型の板状の支持面２を設ける。さらに支持面に吸盤３を設け、吸盤３で便器前方部の上面に固定するようにして吸盤固定式尿遮断具を構成する。【選択図】図４
0003160055.tif 000002
【実用新案登録請求の範囲】
【請求項１】
洋式トイレの便器前方部に容易に着脱することが可能で、尿の便器外部への飛散防止と尿による便器前方部の汚染防止を可能にした、男性の座位での排尿を受けて便器内へと流れ落ちることを導くための便器前方部の内壁のカーブに沿ってあてがう耐水性、柔軟性のある長方形の板状の遮断面に便器前方部の上面にあてがうＬ字型もしくは遮断面と一体成型のＴ字型の板状の支持面を設け、さらに支持面に吸盤を設け、吸盤で便器前方部の上面に固定することを特徴とする吸盤固定式尿遮断具。
【考案の詳細な説明】
【技術分野】
【０００１】
本考案は、洋式トイレで男性が座位で排尿するときにおきる、便器と便座の隙間からの外部への尿飛散防止と便器前方部の汚染防止をする尿遮断具に関するものである。
【背景技術】
【０００２】
近年、高齢者や障害者をはじめ、洋式トイレで男性が座位で排尿をする場合が増えている。洋式トイレで男性が座位で排尿をすると、尿が便器と便座の隙間から外部へ飛散し便器の側面や床が汚染してしまうことや、便器前方部が局所的に汚染してしまうことがあり、トイレ掃除を頻繁におこなっていた。
【先行技術文献】
【特許文献】
【０００３】
尿飛散を解決するために以下の発明がある。
【特許文献１】特開２００６−１４１９４９号公報
【特許文献２】特開２００１−１３７１５３号公報
【考案の概要】
【考案が解決しようとする課題】
【０００４】
上記の特許文献の発明は着脱が容易におこなえないということから衛生的に問題があり、便器前方部の汚染を防止することについては問題解決にいたっていない。
【０００５】
本考案は、尿飛散防止と便器前方部の汚染を防止することが可能で、着脱が容易な尿遮断具を提供することを目的とするものである。
【課題を解決するための手段】
【０００６】
洋式トイレの便器前方部に容易に着脱することが可能で、尿の便器外部への飛散防止と尿による便器前方部の汚染防止を可能にした、男性の座位での排尿を受けて便器内へと流れ落ちることを導くための便器前方部の内壁のカーブに沿ってあてがう耐水性、柔軟性のある長方形の板状の遮断面に便器前方部の上面にあてがうＬ字型もしくは遮断面と一体成型のＴ字型の板状の支持面を設け、さらに支持面に吸盤を設け、吸盤で便器前方部の上面に固定することを特徴とする吸盤固定式尿遮断具。
【考案の効果】
【０００７】
本考案の吸盤固定式尿遮断具の遮断面を洋式トイレ便器前方部の内壁のカーブに沿ってあてがうことにより、男性の座位での排尿を遮断面で受けて便器内へと流れ落ちることを導き、便器内男性が座位で排尿しても尿の便器と便座の隙間からの外部への飛散を防止することと便器前方部の汚染を防止することが可能である。
【０００８】
また、上記の特許文献１・特許文献２は尿を受ける遮断面が便座から垂れ下がるような形状であるため、固定手段に接着剤や両面接着テープ等を用いて強固に接着しており、一度取り付けると容易に外すことが困難であるが、本考案は遮断面にＬ字型もしくは遮断面と一体成型のＴ字型の板状の支持面を設けて、便器前方部の上面に支持面をあてがい吸盤で固定するため、着脱が容易で掃除が簡単におこなえることにより衛生的であり、繰り返し使用することが可能である。
【０００９】
また、本考案は上記の特許文献１・特許文献２と異なり、便座ではなく便器に遮断面を取り付けているため、本考案を便器に取り付けた状態で男性が座位で排尿した直後に、立位で排尿をする他の男性が便座を上げて同じトイレを使っても、遮断面に付いた尿が垂れてトイレが汚染することがない。
【００１０】
また、本考案は着脱や洗浄が容易におこなえ、柔軟性のある遮断面を吸盤で便器に固定することを特徴としており、あらゆる大きさ、形状の便器にも取り付けることが可能なため、携帯して外出先や宿泊先の便器に取り付けることも可能である。
【図面の簡単な説明】
【００１１】
【図１】本考案の斜視図である。
【図２】本考案の側面図である。
【図３】本考案の遮断面と一体成型のＴ字型の支持面を設けるタイプの側面図である。
【図４】本考案を便器に取り付けた状態を示す斜視図である。
【図５】本考案の実施形態を示す斜視図である。
【図６】図５のＡ−Ａ断面図である。
【図７】図６の取り付け部位拡大図である。
【実施例】
【００１２】
以下、添付図面に従って一実施例を説明する。遮断面１と支持面２の厚さは約１ｍｍであり、材質は紙、ゴム、プラスチック等の耐水性、柔軟性、復元性を有しており、なおかつ表面は汚れが付きにくい滑面のものである。洋式トイレの便器前方部の内壁のカーブに沿って長方形の板状の遮断面１をあてがい、遮断面１に設けているＬ字型の板状の支持面２を便器前方部の上面にあてがい、支持面２に設けている吸盤３で固定する。便器前方部の内壁のカーブに沿う長方形の遮断面１の横の長さは約２０ｃｍであり、縦の長さは本考案を取り付ける便器と便座の隙間および便器前方部の内壁を完全に尿から遮断できるように調節する。便器前方部の三方向に支持面２ａ、２ｂ、２ｃをあてがい、吸盤３ａ、３ｂ、３ｃで固定することにより高い安定性が得られる。男性が座位で排尿すると遮断面１が尿を受けて便器内へと導くため、尿の便器外部への飛散防止と尿による便器前方部の汚染防止が可能である。固定手段が支持面２ａ、２ｂ、２ｃ、吸盤３ａ、３ｂ、３ｃのため着脱は容易である。
【符号の説明】
【００１３】
１  遮断面
２  支持面
３  吸盤
４  便器
５  便座
【図１】
0003160055.tif 000003
【図２】
0003160055.tif 000004
【図３】
0003160055.tif 000005
【図４】
0003160055.tif 000006
【図５】
0003160055.tif 000007
【図６】
0003160055.tif 000008
【図７】
0003160055.tif 000009
(57)【要約】      （修正有）【課題】催眠効果を保持しながら、翌日に眠気やだるさが残らない二層錠を提供する。【解決手段】二層錠１は、外層錠２と内層錠３と該内層錠３を覆うフィルム４とからなる二層錠１であって、前記外層錠２が、ジフェンヒドラミン塩酸塩と賦形剤とからなり、前記内層錠３が、グルクロノラクトンまたはグルクロン酸アミドからなる。前記外層錠２は裸錠であり、コーティング等は施さない。そのため、外層錠２は経口投与後、主に胃で溶解し、吸収される。内層錠３の表面（すなわち外層錠２との界面）はフィルム４が設けられている。該フィルム４は、たとえばポリビニルアルコールなどの水溶性樹脂で構成する。該フィルムにより、外層錠２が胃で溶解した後に、内層錠３は時間差を生じて溶解する。すなわち、外層錠２のジフェンヒドラミン塩酸塩の薬効により睡眠が導入され、１〜２時間後にフィルムの溶解を経て内層錠３が溶解し体内に吸収される。【選択図】図１
0003160059.tif 000002
【実用新案登録請求の範囲】
【請求項１】
外層錠と内層錠と該内層錠を覆うフィルムとからなる二層錠であって、
前記外層錠が、ジフェンヒドラミン塩酸塩と賦形剤とからなり、
前記内層錠が、グルクロノラクトンまたはグルクロン酸アミドからなる二層錠。
【請求項２】
前記内層錠に、さらに無水カフェインまたはカフェインが配合されてなる請求項１記載の二層錠。
【請求項３】
円盤型である請求項１または２記載の二層錠。
【考案の詳細な説明】
【技術分野】
【０００１】
本考案は二層錠に関する。さらに詳しくは、外層錠としてジフェンヒドラミン塩酸塩を含み、内層錠としてグルクロノラクトン等を含む二層錠に関する。
【背景技術】
【０００２】
従来、睡眠・鎮静製剤として、ジフェンヒドラミン塩酸塩を用いた製剤が知られている（特許文献１）。当該製剤は、ジフェンヒドラミン塩酸塩の有する睡眠・鎮静作用により睡眠を導入することを目的としている。
【先行技術文献】
【特許文献】
【０００３】
【特許文献１】特開２００３−３００８７２号公報
【考案の概要】
【考案が解決しようとする課題】
【０００４】
しかしながら、特許文献１に記載の睡眠・鎮静製剤は、翌日まで眠気が続いたり、だるさを感じることがある、という問題がある。
【０００５】
そこで、本考案はかかる事情に鑑みて、ジフェンヒドラミン塩酸塩を抱合して排出するためのグルクロノラクトン等を内層錠とし、ジフェンヒドラミン塩酸塩を外層錠とすることにより、内層錠が溶解するまでの時間差を設け睡眠改善効果を保持しながら、翌日に眠気やだるさが残らない二層錠を提供することを目的とする。
【課題を解決するための手段】
【０００６】
本考案の二層錠は、外層錠と内層錠と該内層錠を覆うフィルムとからなる二層錠であって、前記外層錠が、ジフェンヒドラミン塩酸塩と賦形剤とからなり、前記内層錠が、グルクロノラクトンまたはグルクロン酸アミドからなる。
【０００７】
前記内層錠に、さらに無水カフェインまたはカフェインが配合されてなることが好ましい。
【０００８】
二層錠の形状（剤形）が、円盤型であることが好ましい。
【考案の効果】
【０００９】
本考案によれば、睡眠改善効果を保持しながら、翌日に眠気やだるさが残らない二層錠を提供することができる。
【図面の簡単な説明】
【００１０】
【図１】本考案の一実施形態（実施の形態１）にかかる二層錠の断面図である。
【図２】本考案の一実施形態（実施の形態１）にかかる二層錠の斜視図である。
【考案を実施するための形態】
【００１１】
実施の形態１
図１および２に示されるように、本考案の二層錠１は、外層錠２と内層錠３と該内層錠３を覆うフィルム４とからなる二層錠１であって、前記外層錠２が、ジフェンヒドラミン塩酸塩と賦形剤とからなり、前記内層錠３が、グルクロノラクトンまたはグルクロン酸アミドからなる。
【００１２】
二層錠１の形状（剤形）としては特に限定されず、周知の各種形状を採用することができ、たとえば円盤形やレンズ形、竿形などさまざまな形状を採用することができる。本実施の形態では円盤型を呈している。
【００１３】
前記外層錠２は、ジフェンヒドラミン塩酸塩と賦形剤とからなる。ジフェンヒドラミン塩酸塩の含量は、５０ｍｇに調製されてなる。賦形剤としてはたとえば乳糖、デキストリン、デンプン、白糖を用いることができる。前記外層錠２は裸錠であり、コーティング等は施されていない。そのため、外層錠２は経口投与後、主に胃で溶解し、吸収されることとなる。
【００１４】
前記内層錠３は、グルクロノラクトンまたはグルクロン酸アミドからなる。また、さらに無水カフェインまたはカフェインが配合されてもよく、前述の賦形剤を配合してもよい。グルクロノラクトンを用いる場合、通常グルクロノラクトンの一日最小分量は２００ｍｇであり、一日最大分量は１０００ｍｇであるため、含量は２００〜１０００ｍｇに調製されてなる。また、グルクロン酸アミドを用いる場合は、通常一日最小分量は２００ｍｇであり、一日最大分量は１０００ｍｇであるため、含量は２００〜１０００ｍｇに調製されてなる。無水カフェインおよびカフェインは、翌日に眠気やだるさが残しにくい点で内層錠に配合することが好ましい。カフェインまたは無水カフェインを用いる場合、これらの一日最大分量は通常１５０ｍｇであるため、含量は１０〜１５０ｍｇに調製されてなる。
【００１５】
内層錠３の表面（すなわち外層錠２との界面）はフィルム４が設けられている。該フィルム４は、たとえばポリビニルアルコールなどの水溶性樹脂から構成されている。また、腸溶フィルムとすることもできる。該フィルムが設けられていることにより、外層錠２が胃で溶解した後に、内層錠３は時間差を生じて溶解することとなる。すなわち、外層錠２のジフェンヒドラミン塩酸塩の薬効により睡眠が導入され、１〜２時間後にフィルムの溶解を経て内層錠３が溶解し体内に吸収されることとなる。これにより、先に吸収されたジフェンヒドラミン塩酸塩は体内で分解され、ベンズヒドロールとなりグルクロン酸抱合体の形成が促される。グルクロン酸抱合体が形成されることにより代謝が促されるため、翌日に眠気やだるさが残らない。
【符号の説明】
【００１６】
１  二層錠
２  外層錠
３  内層錠
４  フィルム
【図１】
0003160059.tif 000003
【図２】
0003160059.tif 000004
(57)【要約】      （修正有）【課題】用紙の脱落や紛失を防ぎ、記入しやすいバインダーを提供する。【解決手段】用紙おさえを備えたバインダー板を中央に、左右に可動する穴あきの用紙を綴ることのできる用紙綴りリング板と、用紙綴りリング板の反対側に記入済み用紙を保護する左右に回転する折りたたみ板を備える。【選択図】図１
0003160319.tif 000002
【実用新案登録請求の範囲】
【請求項１】
可動する折りたたみ板と用紙綴りリング板、用紙おさえを備えた用紙の脱落と汚損を防止するバインダー。
【考案の詳細な説明】
【技術分野】
【０００１】  本考案は、用紙の脱落や紛失を防止し、記入しやすいように、用紙綴りリングと折り畳み板を備えたバインダーに関するものである。
【背景技術】
【０００２】  一般的なバインダーは板に用紙押さえが付いて、用紙の一辺を固定して記入するようになっている。
【考案の概要】
【考案が解決しようとする課題】
【０００３】  従来のバインダーは用紙を押さえる箇所が一箇所のみで記入済みの用紙が外れたり、屋外作業時に風に飛ばされたりと紛失の危険性が高い。
【課題を解決するための手段】
【０００４】  本考案は、左右に可動する用紙綴りリング板をバインダーに設置して穴あきの用紙を綴り、さらに用紙押さえにて２辺を固定して記入を行える。また記入済みの用紙はバインダー裏側へ回し、左右へ回転する折りたたみ板で押さえることにより用紙の紛失や汚損を防止する構造である。また、記入しないときは折りたたみ板をとじることで用紙を保護できる。
【考案の効果】
【０００５】  従来のバインダーよりも用紙の脱落や紛失を防ぎ、記入しやすいバインダーを提供する。このため屋外での用紙の記入に最適である。
【図面の簡単な説明】
【０００６】
【図１】  本バインダーの最低限の構成を示す全体図
【図２】  本バインダーの使用時の図
【図３】  本バインダーを閉じたときの図
【図４】  実施例のひとつとして肩掛け紐、固定用ゴムを追加した図
【考案を実施するための形態】
【０００７】  本考案は図１のようにバインダー板の上部に従来どおりの用紙押さえ、左側に可動な用紙綴りリング板、右側にはバインダー板とほぼ同じ大きさの折りたたみ板を供えた構造である。折りたたみ板の可動部分は用紙の厚さ分をフレキシブルにとる。
使用方法は図２に示すように、記入済みの用紙は裏側へ回し、折りたたみ板でおさえることで脱落・紛失を防ぐ。使用しないときは図３のように折りたたみ板を手前側へ倒し、書類ホルダーとして使用でき、収納しやすくなる。
【実施例】
【０００８】  本考案の最低限の構成は図１に示すように、バインダー板、用紙押さえ、可動する用紙綴りリング板と折りたたみ板を備えたものである。用紙綴りリング板部分は図１では２穴にしているが、ルーズリーフ用の多穴リングとしてもよい。
図４のように、上部に肩掛け紐を付加して画板のように使用したり、バインダー下部に板おさえゴムとゴム引っ掛け部を付加して手を離しても折りたたみ板を固定できるよう工夫してもよい。
【符号の説明】
【０００９】１  バインダー板
２  用紙おさえ
３  用紙綴りリング板
４  折りたたみ板
５  可動部分（折りたたみ板）
６  可動部分（用紙綴りリング板）
７  折りたたみ板閉じ具
８  肩掛け紐
９  板おさえゴム
１０  ゴム引っ掛け部
１１  記入用紙
【図１】
0003160319.tif 000003
【図２】
0003160319.tif 000004
【図３】
0003160319.tif 000005
【図４】
0003160319.tif 000006
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
用紙おさえを備えたバインダー板を中央に、左右に可動する穴あきの用紙を綴ることのできる用紙綴りリング板と、用紙綴りリング板の反対側に記入済み用紙を保護する左右に回転する折りたたみ板を備えた用紙の脱落と汚損を防止するバインダー。
(57)【要約】      （修正有）【課題】主として職場への入退室に使用し、勤務中常時携帯する首掛け式のＩＤカードホルダーと、肩こりや血行障害の緩和のため使用する磁気ネックレスを一体化して、職場において違和感なく装着できる様にした磁気ネックレスとＩＤカードホルダーの一体形成品を提供する。【解決手段】リング状の磁気ネックレス１と矩形状のＩＣカードを収納したＩＤカードホルダー３とを一対の紐又は帯状体２で接続し、磁気ネックレス１を首のまわりに装着し、ＩＤカードホルダー３をその下に吊り下げて使用する。紐又は帯状体２は、伸縮性を持たせても良く、又安定度が保てれば、１本でも良い。【選択図】図１
0003160315.tif 000002
【実用新案登録請求の範囲】
【請求項１】
磁気ネックレスあるいはそれに類する形状・性質のものとＩＤカードホルダーを一体化させ、その肩こりや血行障害防止の効果とカードホルダーの利便性を向上させている。
【請求項２】
上記請求項１の形態につき多様性を持たせ、実際の使用にしやすいようにしている点。
【請求項３】
上記磁気ネックレスにファッション性を持たせること。
【考案の詳細な説明】
【考案の概要】
【考案が解決しようとする課題】
【０００１】近年のＩＴ化に伴い、職場での仕事の多くの部分はコンピューターの端末での作業となっている。これらの作業を長時間にわたり行うにことにより、作業者に肩こりや血行障害等の慢性的な疲労が出やすくなっている。またいわゆる電話応対や書類処理のデスクワークなどでも同様の症状がみられる。
また職場での保安／安全全般（入退室、入退館や情報機器使用許認可など）を管理するために近年職場にていわゆるＩＤカード（身分証明証と磁気あるいはＩＣチップを一体化させたプラスチックのカード）が使用されている。これらのカードはその提示を含んだ使用頻度の高さから首掛け式のカードホルダー（カードをプラスチック容器に入れそれを下げておく）で勤務時間中に首に下げておく場合が多い。ただこのカードホルダーは目的としては現状この点のみである。
一方肩こりや血行障害等防止や緩和のために従来から磁気ネックレスやそれに類する形状・性質のものが使用に供されてきたが、職場での使用についてはその見栄えや体裁が男女問わずそぐわない点があり、実際に使いにくいという問題があった。
【課題を解決するための手段】
【０００２】磁気ネックレスあるいはそれに類する形状・性質のものと首掛け式ＩＤカードホルダーを一体化（１，２，３）させ、職場での使用ができる肩こり緩和および防止の対策品（４，５，６）とする。
【考案の効果】
【０００３】首掛け式ＩＤカードホルダー自身が磁気ネックレスあるいはそれに類する形状・性質のものであるので、着用しながら肩こり防止や血行障害緩和の効果がある。また首掛け式ＩＤカードホルダーであるので、職場においての仕様・装着が違和感なく行える。またその仕様によってはファッション性等も本品に付与できる。
【図面の簡単な説明】
【０００４】
【図１】考案したカードホルダーを平面上に置き上から見た平面図である。
【図２】考案したカードホルダーの別形式を平面上に置き上から見た平面図である。
【図３】考案したカードホルダーの別形式を平面上に置き上から見た平面図である。
【図４】考案したカードホルダーの図１の使用状況を示す平面図である。
【図５】考案したカードホルダー図２の使用状況を示す平面図である。
【図６】考案したカードホルダー図３の使用状況を示す平面図である。
【考案を実施するための形態】
【０００５】以下、本考案の実施の形態につき説明する。
（イ）図１の符号１の磁気ネックレスあるいはそれに類する形状性質のもの（以下ネックレスと略す）に２の紐あるいは帯状のもの（以下紐と略す）を繋ぎ、その先に３のＩＤカードホルダーを取り付ける。１と２繋ぎは留める事ができれば可変でも可能である。また２は絶縁性を付与してもよいし、安定度が保てれば一本でも良い。
（ロ）図２の概念も同様であるが１のネックレス部分を延ばし２の紐部分を短くしている。紐の性状は（イ）と同じ。
（ハ）図３は（イ）の１のネックレスに繋ぐ４の紐を一本としその長さを長くしたものである。その際４の紐にはある程度の伸縮性を持たせ使いやすさを出す。
これも２本でもよい。紐の性状は（イ）と同じ。
（ニ）図４，５，６はそれぞれ図１，２，３を人が使用する際の概念図である。
（ホ）３のカードホルダーは一般的にプラスチックあるいは皮製。
【実施例】
【０００６】図４，５，６を参照。
【符号の説明】
【０００７】１  磁気ネックレスあるいはそれに類する形状・性質のもの。
２  １と３を繋ぐ紐あるいは帯状の物。
３  ＩＤカードホルダー。
４  ２に類するものであるが、伸縮性の大きいもの。
【図１】
0003160315.tif 000003
【図２】
0003160315.tif 000004
【図３】
0003160315.tif 000005
【図４】
0003160315.tif 000006
【図５】
0003160315.tif 000007
【図６】
0003160315.tif 000008
【手続補正書】
【提出日】平成22年3月17日(2010.3.17)
【手続補正１】
【補正対象書類名】実用新案登録請求の範囲
【補正対象項目名】全文
【補正方法】変更
【補正の内容】
【実用新案登録請求の範囲】
【請求項１】
磁気ネックレスに、紐あるいは帯状のものによってぶら下げる形でＩＤカードホルダーを接続し、両者を一体化させた形状を有する物品。
(57)【要約】      （修正有）【課題】ギターのように肩からかけられて、音量も調整できるドラムギターを提供する。【解決手段】ドラム又はパーカッションがギター型になっており、音量を調整するもの又はメトロノームを内蔵する。【選択図】図１
0003160305.tif 000002
【実用新案登録請求の範囲】
【請求項１】
素材はエレキギターやベースと同じでドラム、パーカッションが、ギター型になった物で音量やメトロノームを内蔵した物。
【考案の詳細な説明】
公序良俗違反のため、不掲載とする。
【図１】
0003160305.tif 000003
【手続補正書】
【提出日】平成22年4月16日(2010.4.16)
【手続補正１】
【補正対象書類名】明細書
【補正対象項目名】全文
【補正方法】変更
【補正の内容】
【考案の詳細な説明】
【技術分野】
【０００１】
本考案は、エレキベース、ギターのような型をして肩からかけられて演奏出来る電子ドラムマシーンに関する。
【背景技術】
【０００２】
従来より、卓上で使う電子ドラムがある。肩にかけて演奏するキーボード（ピアノ）（例えば、特許文献１）などがあるが、ドラムについては卓上のものしかない。
【先行技術文献】
【特許文献】
【０００３】
【特許文献１】実開平６−５５１９５号公報
【考案の概要】
【考案が解決しようとする課題】
【０００４】
ドラムはバンドの中では重要だが、家で練習出来ない、いつも後にいてライブで動く事が出来ないなどから、ドラムをしたがらない。
【課題を解決するための手段】
【０００５】
ギターのように肩からかけられて、音量も調節出来る物を作る。
【考案の効果】
【０００６】
ギターのように肩からかけられて、音量も調節出来る物を作れば、ドラムパートの人も増え、多くのバンドが成立する。
【図面の簡単な説明】
【０００７】
【図１】本考案の実施形態に係るドラムギターを示す図である。
【考案を実施するための形態】
【０００８】
図１に示すようなドラムギターを楽器メーカーに協力してもらって作る。このドラムギターは、素材がエレキギターやベースと同じで、ドラム又はパーカッションが、肩からかけられるギター型になっており、音量を調整するもの又はメトロノームを内蔵している。メトロノームを内蔵すると、初心者でも、リズムキープがやりやすくなる。
【手続補正２】
【補正対象書類名】実用新案登録請求の範囲
【補正対象項目名】全文
【補正方法】変更
【補正の内容】
【実用新案登録請求の範囲】
【請求項１】
ドラム又はパーカッションがギター型になっており、音量を調整するもの又はメトロノームを内蔵したドラムギター。
【手続補正３】
【補正対象書類名】図面
【補正対象項目名】図２
【補正方法】削除
【補正の内容】